(57)【要約】本発明は、複数の開口部（１２）を含みそれらの開口部の輪郭が所望のパターンに相当するレリーフ部を上面に備えたテンプレートの製造方法に関する。本発明はさらに、そのようなテンプレートに関する。本発明の目的は、高さがより大きいレリーフ部を実現可能にし、その結果、適用されるパターンの設計自由度を高めることである。この目的は、以下の各ステップによって達成される。少なくとも１つの非穿孔状態の非金属製レリーフ層（１１）を有するテンプレート本体（１０）を用意する。レーザまたはプラズマ照射によって、レリーフ層（１１）の材料をパターン状に除去して、レリーフ部の複数の開口部（１２）を形成する。ここで、少なくともレリーフ部の開口部（１２）の底領域には、上面の反対側である裏面まで延びる貫通開口部が設けられる。このようにして、テンプレートが得られる。そのテンプレートは、少なくとも１つの非金属製レリーフ層（１１）を備えたテンプレート本体（１０）を有し、その上面に、複数の開口部（１２）を含みそれらの開口部の輪郭が所望のパターンに相当するレリーフ部が形成されている。少なくともレリーフ部の開口部（１２）の底領域には、上面の反対側である裏面まで延びる貫通開口部が設けられている。
2013508189.tif 000002
【特許請求の範囲】
【請求項１】
複数の開口部（１２）を含みそれらの開口部の輪郭が所望のパターンに相当するレリーフ部（１１）を上面に備えたテンプレートの製造方法であって、
少なくとも１つの非金属製レリーフ層（１１）を有するテンプレート本体（１０）を用意することと、
レーザまたはプラズマ照射によって、前記レリーフ層（１１）の材料を前記パターンに従って除去して、前記レリーフ部の複数の開口部（１２）を形成することとを含み、
少なくとも前記レリーフ部の開口部（１２）の底領域（１３）には、前記上面の反対側である裏面まで延びる貫通開口部（１４）が設けられることを特徴とする、方法。
【請求項２】
請求項１に記載の方法であって、
前記テンプレート本体（１０）は、前記レリーフ層の前記裏面に、担体層（１５）を備えていないか、あるいは、非穿孔の金属製または非金属製担体層を備え、
少なくとも前記レリーフ部の開口部（１２）の底領域（１３）に設けられる前記貫通開口部（１４）は、レーザ照射によって前記テンプレート本体（１０）に導入することを特徴とする、方法。
【請求項３】
請求項１に記載の方法であって、
前記テンプレート本体（１０）は、前記レリーフ層（１１）の前記裏面に、特に金属製スクリーンである有孔担体層（１５）を有し、
少なくとも前記レリーフ部の開口部（１２）の底領域（１３）に設けられる前記貫通開口部（１４）は、レーザ照射によって、前記担体層（１５）の前記開口部１４を少なくとも部分的に露出させることによって形成することを特徴とする、方法。
【請求項４】
請求項３に記載の方法であって、前記レリーフ部の開口部（１２）の底領域（１３）における前記貫通開口部（１４）は、前記レリーフ層（１１）を完全に除去することによって露出することを特徴とする、方法。
【請求項５】
請求項３または４に記載の方法であって、前記レリーフ部の前記開口部（１２）の外側に位置する前記レリーフ層（１１）の高台領域（１６）に、前記担体層（１５）の開口部（１４）と一致するパターン形成用以外の開口部または穿孔を、レーザ照射によって導入することで貫通開口部（１４）を形成することを特徴とする、方法。
【請求項６】
請求項３または４に記載の方法であって、前記レリーフ部の前記開口部（１２）の外側に位置する前記レリーフ層（１１）の高台領域（１６）に、前記担体層（１５）の開口部（１４）と形状、サイズ、および配置のうちの少なくとも一つが異なるパターン形成用以外の開口部または穿孔を、レーザ照射によって導入することで貫通開口部（１４）を形成することを特徴とする、方法。
【請求項７】
請求項１から６のいずれか一つに記載の方法であって、前記レリーフ部の前記開口部（１２）の外側に位置する高台領域（１６）が複数の異なる高さを有するように、前記開口部（１２）の外側においてもレーザ照射によって前記レリーフ層（１１）の材料を除去することを特徴とする、方法。
【請求項８】
請求項１から７のいずれか一つに記載の方法であって、前記開口部（１２）の形成時に、前記開口部（１２）の壁を、周囲の高台領域（１６）に対して傾斜、面取り部、丸み、またはステップ状の段々を有するよう構成することを特徴とする、方法。
【請求項９】
請求項８に記載の方法であって、照射時の出力密度を変調させることによって、前記レリーフ層（１１）の前記開口部（１２）と前記高台領域（１６）との間の移行部に、傾斜、面取り部、丸み、またはステップ状の段々をつけることを特徴とする、方法。
【請求項１０】
請求項１から９のいずれか一つに記載の方法であって、前記開口部（１２）の外側に位置する高台領域（１６）の表面に、規則的、ランダム、または疑似ランダムなミクロ構造を設けることを特徴とする、方法。
【請求項１１】
請求項１から１０のいずれか一つに記載の方法であって、高台領域（１６）の表面または前記レリーフ層（１１）の露出表面全体にコーティング（１７）を設けることを特徴とする、方法。
【請求項１２】
請求項１１に記載の方法であって、金属から成る前記コーティング（１７）を、化学的手法、ガルバニック技術、スプレー技術、またはプリント技術によって被覆することを特徴とする、方法。
【請求項１３】
テンプレート本体（１０）を含むテンプレートであって、少なくとも１つの非金属製レリーフ層（１１）を備え、その表面に、複数の開口部（１２）を含みそれらの開口部の輪郭が所望のパターンに相当するレリーフ部が形成されており、少なくとも前記レリーフ部の開口部（１２）の底領域（１３）には、上面の反対側である裏面まで延びる貫通開口部（１４）が設けられている、テンプレート。
【請求項１４】
請求項１３に記載のテンプレートであって、前記テンプレート本体（１０）が、前記レリーフ層（１１）の裏面に金属製または非金属製の非穿孔担体層（１５）を備え、前記担体層（１５）には、少なくとも前記レリーフ部の開口部（１２）の底領域（１３）に貫通する貫通開口部（１４）が設けられている、テンプレート。
【請求項１５】
請求項１４に記載のテンプレートであって、前記担体層（１５）がガラス繊維またはカーボン繊維によって強化された金属または非金属から成る、テンプレート。
【請求項１６】
請求項１３に記載のテンプレートであって、前記テンプレート本体（１０）が、前記レリーフ層（１１）の裏面に、特に金属製スクリーンである有孔担体層（１５）を備え、前記有孔担体層の貫通開口部（１４）は、少なくとも部分的に、前記レリーフ部の開口部（１２）の底領域（１３）に露出している、テンプレート。
【請求項１７】
請求項１６に記載のテンプレートであって、前記レリーフ層（１１）が、前記レリーフ部の前記開口部（１２）の外側に位置する高台領域（１６）に、レーザ照射によって導入され前記担体層（１５）の開口部（１４）と一致するパターン形成用以外の開口部（１８）または穿孔を備える、テンプレート。
【請求項１８】
請求項１６に記載のテンプレートであって、前記レリーフ層（１１）が、前記レリーフ部の前記開口部（１２）の外側に位置する高台領域（１６）に、レーザ照射によって導入され前記担体層（１５）の開口部（１４）と形状、サイズ、および配置のうちの少なくとも一つが異なるパターン形成用以外の開口部（１８）または穿孔を備える、テンプレート。
【請求項１９】
請求項１６、１７、または１８に記載のテンプレートであって、前記金属製スクリーンはガルバニック作用を用いて製造されたものである、テンプレート。
【請求項２０】
請求項１６、１７、または１８に記載のテンプレートであって、前記金属製スクリーンは、ガルバニック表面コーティングが施されたワイヤガーゼで構成されている、テンプレート。
【請求項２１】
請求項１３から２０のいずれか一つに記載のテンプレートであって、前記レリーフ部の前記開口部（１２）の外側に位置する高台領域（１６）が複数の異なる高さを有する、テンプレート。
【請求項２２】
請求項１３から２１のいずれか一つに記載のテンプレートであって、前記開口部（１２）の壁が、周囲の高台領域（１６）に対して傾斜、面取り部、丸み、またはステップ状の段々を備える、テンプレート。
【請求項２３】
請求項１３から２２のいずれか一つに記載のテンプレートであって、前記開口部（１２）の外側に位置する高台領域（１６）の表面が、規則的、ランダム、または疑似ランダムなミクロ構造を備える、テンプレート。
【請求項２４】
請求項１３から２３のいずれか一つに記載のテンプレートであって、高台領域（１６）の表面または前記レリーフ層（１１）の露出表面全体にコーティング（１７）が施されている、テンプレート。
【発明の詳細な説明】
【技術分野】
【０００１】
本発明は、所望のパターンに相当する輪郭を有する複数の開口部を含むレリーフ部を上面に備えた、有孔または部分有孔テンプレート（型板）の製造方法に関し、さらに、そのようなタイプのテンプレートに関する。
【背景技術】
【０００２】
ＥＰ  １  ８８４  ５８２  Ｂ１には、テンプレートまたはスクリーンの製造方法が開示されている。その方法ではまず、上面から裏面まで延びる複数の貫通開口部を備えたスクリーン本体を用意する。その上面にレリーフ部を形成するために、エッチングによる化学工程またはレーザ照射によって、所望のパターンに従って低領域または開口部を作成する。ここで、複数の貫通開口部を備えたスクリーン本体は、原理的には、たとえばプラスチック材料、セラミック材料、天然樹脂材料、ラッカー材料、またはそれらの複合材料や組み合わせなどの、安定したシート状の部材の形成に適した非金属材料から成ることが可能である。しかし当該文献では、ニッケル、銅、アルミニウム、またはそれらの合金などの金属から成るスクリーン本体の製造のみが詳述されている。
【０００３】
ＵＳ  ２００８／０１９３７９０  Ａ１には、液体噴射接合工程による不織布の製造に利用されるスクリーンドラムが開示されている。そのスクリーンドラムは、繊維状材料が配置される上面に、所望のパターンに相当する輪郭を有する低領域または開口部が設けられている。スクリーンドラムは、ガルバニック作用を用いて２段階で製造される。第１段階では、複数の貫通開口部を備えた担体スクリーンが形成される。所望の厚みが得られた後、第２段階で、隆起させたい領域のみにおいてスクリーンドラムの厚みを増大させることで、レリーフ部の低領域または開口部が得られる。レリーフ部の開口部の壁は、外側に若干傾斜している。
【０００４】
ＤＥ  １０  ２００７  ０５９  ７９４  Ａ１には、スクリーン印刷用テンプレートの製造方法が開示されている。その方法では、金属製担体基板を、後にスクレーパ側となる面から機械加工して窪み を形成することで、担体の網状組織を作成する。そして、後に被印刷物側となる面に、印刷すべき構成を、さらなる窪みの形状に機械加工する。それにより、両側の窪みの先端がテンプレート本体中で出会った箇所に、スクリーン印刷用のペースト状材料のための開口部が形成される。当該文献におけるテンプレートの製造は、マイクロエッチングまたはレーザアブレーションによって実施される。
【０００５】
しかし、このタイプの製造方法では、限られたレリーフ高さしか許容されない。また、ガルバニック作用を用いたテンプレートの場合は、厚みが増すにつれて貫通開口部が徐々に細くなる点でも不利であり、それによってさらにレリーフ高さが制限されてしまう。
【先行技術文献】
【特許文献】
【０００６】
【特許文献１】ＥＰ  １  ８８４  ５８２  Ｂ１
【特許文献２】ＵＳ  ２００８／０１９３７９０  Ａ１
【特許文献３】ＤＥ  １０  ２００７  ０５９  ７９４  Ａ１
【特許文献４】ＮＬ  １  ０１２  １００  Ｃ２
【特許文献５】ＥＰ  ０  ９１３  ７３０  Ａ１
【発明の概要】
【発明が解決しようとする課題】
【０００７】
以上の背景を鑑み、本発明は、より大きなレリーフ高さを許容し、その結果、適用されるパターンの設計自由度をより高めた、さらなるテンプレート製造方法および改良型テンプレートを提供するという目的に基づいている。
【課題を解決するための手段】
【０００８】
上記目的は、本発明に従って、請求項１に記載の方法および請求項１３に記載のテンプレートによって達成される。本発明の有利な改良点および発展形態は、従属項に記載されている。
【０００９】
本発明によれば、非金属材料から成るレリーフ層を有するテンプレート本体から、レーザまたはプラズマ照射によって材料を除去してレリーフ部を形成することで、テンプレートを製造する。ここで、少なくともレリーフ部の開口部の底の領域には、貫通開口部が設けられる。
【００１０】
用途およびレリーフ層の厚さによっては、レリーフ層からの材料の直接除去工程を用いることで、数ミリのレリーフ深さまで簡単に許容することができる。レーザまたはプラズマ照射（特に、高エネルギ密度のレーザまたはプラズマ照射）を使用することによって、幅広い用途において、パターンを備えたテンプレートの高い設計自由度を確保することができる。特に、テンプレートの構造化に照射を使用すると、幅広い材料がテンプレートに利用可能になるため、意図したパターンを作成する設計自由度を向上させることができる。
【００１１】
本発明によれば、特に非穿孔層である少なくとも１つの非金属製レリーフ層を有するテンプレート本体を用意する。続いて、レーザまたはプラズマ照射によって、パターンに従ってレリーフ層の材料を除去して、レリーフ部の複数の開口部を形成する。ここで、少なくともレリーフ部の開口部の底領域には、上面の反対側である裏面まで延びる貫通開口部が設けられる。
【００１２】
テンプレート本体のレリーフ層の裏側に、担体層が備えられていないか、あるいは、金属製または非金属製の非穿孔担体層が備えられている場合は、テンプレート本体において、少なくともレリーフ部の開口部の底領域に、レーザ照射によって貫通開口部を導入する。
【００１３】
一方、テンプレート本体のレリーフ層の裏側に有孔担体層（特に金属製スクリーン）が備えられている場合は、レーザまたはプラズマ照射によって、担体層の開口（孔）を少なくとも部分的に露出させること によって、少なくともレリーフ部の開口部の底領域に貫通開口部を形成する。特に、レリーフ部の開口部の底領域に位置する貫通開口部は、レリーフ層を完全に除去することで露出できる。
【００１４】
適切なレーザまたはプラズマ照射によって貫通開口部を形成または露出することは、テンプレート本体の加工全体をたった１つの処理ステーションにおいて１つまたはそれ以上の工程で達成できるという点で、有利である。
【００１５】
また、たとえば織布または不織布のウォータージェット 接合の場合などに、必要であれば、レリーフ部の開口部の外側に位置するレリーフ層の高台領域に、パターン形成用以外の（non-pattern-forming） 開口部または穿孔をレーザ照射によって導入することができる。ここで、これらのパターン形成用以外の開口部は、担体層の開口部と一致し、それによって貫通開口部が形成される。あるいは、それらのパターン形成用以外の開口部または穿孔を、担体層の開口部とは形状、サイズ、および配置のうちの少なくとも一つが異なるものとすることもできる。そうすることで、それぞれのテンプレートまたはパターン領域においてテンプレートの透過性を異ならせることができ、それによってパターン形成を補助することが可能である。
【００１６】
レリーフ部の開口部の外側に位置する高台領域が複数の異なる高さを有するように、開口部の外側においてもレリーフ層の材料をレーザ照射によって除去すれば、パターン内でのバリエーションの可能性を増大することができる。ここで、高台領域の高さが同一である場合と同様に、開口部の壁が周囲の高台領域に対して傾斜、面取り部、丸み、またはステップ状の段々を有するよう構成できる。そのような形状は、開口部の形成時に照射の出力密度を変調させることによって、都合よく形成できる。
【００１７】
また、開口部の外側に位置する高台領域の表面に、規則的、ランダム、または疑似ランダムなミクロ構造を設けることが可能である。
【００１８】
さらに、表面特性を、意図する所望の用途に適合させるために、高台領域の表面またはレリーフ層の露出表面全体にコーティングを設けることが可能である。そのコーティングは、金属または適切なテフロン（登録商標）から成ることが好ましい。このタイプのコーティングは、様々な方法で被覆可能であり、特に化学的手法、ガルバニック技術、スプレー技術、またはプリント技術によって被覆できる。
【００１９】
本発明によるテンプレートは、少なくとも１つの非金属レリーフ層を備える。その上面には、輪郭が所望のパターンに相当する複数の開口部から成るレリーフ部が形成されている。また、上面の反対側である裏面まで延びる貫通開口部が、少なくともレリーフ部の開口部の底領域に設けられている。
【００２０】
テンプレート本体は、好都合なことに、レリーフ層の裏面に、金属製または非金属製の非穿孔担体層を備える。担体層において、少なくともレリーフ部の開口部の底領域に貫通する貫通開口部が設けられている。
【００２１】
担体層は、特に、ガラス繊維またはカーボン繊維によって強化された金属または非金属から成る。
【００２２】
また、たとえば金属製スクリーンなどの有孔担体層を設けることもできる。有孔担体層の貫通開口部は、レリーフ部の開口部の底領域に少なくとも部分的に露出している。
【００２３】
レリーフ部の開口部の外側に位置する高台領域に、レーザ照射によって導入されたパターン形成用以外の貫通開口部または穿孔をレリーフ層が備える場合は、それらのパターン形成用以外の貫通開口部または穿孔が、担体層の開口部に一致すると好都合である。
【００２４】
しかし、それらのパターン形成用以外の貫通開口部または穿孔は、担体層の開口部とは形状、サイズ、および配置のうちの少なくとも一つが異なることも可能である。
【００２５】
本発明の一つの発展形態は、金属製スクリーンがガルバニック作用を用いて製造されることを特徴とする。
【００２６】
ガルバニック金属製スクリーンの代わりに、ワイヤガーゼである金属製スクリーンを用いる場合は、ガルバニック表面コーティングを施すことが有利である。ただし、ステンレス鋼から成るスクリーンを使用することも考えられる。ただし、表面コーティングを施した場合は金属製スクリーンが特に安定的になり、そのことは圧縮荷重下で有利である。
【００２７】
パターン設計の可能性をさらに増大するために、本発明の有用な改良形態では、レリーフ部の開口部の外側に位置する高台領域は、複数の異なる高さを有する。そして、均一な高台高さのパターンを有するテンプレートの場合と同様に、開口部の壁は、周囲の高台領域に対して傾斜、面取り部、丸み、またはステップ状の段々を有することが可能である。
【００２８】
テンプレートの表面特性を意図する各用途に適合させるために、開口部の外側に位置する高台領域の表面に、規則的、ランダム、または疑似ランダムなミクロ構造が設けられている。さらに、あるいはその代わりに、高台領域の表面またはレリーフ層の露出表面全体に、コーティングが設けられている。
【図面の簡単な説明】
【００２９】
【図１】レリーフ部の開口部の底領域のみに穿孔を備えた本発明によるテンプレートを示す概略断面図である。
【図２】レリーフ部の開口部の底領域のみに穿孔を備えた（すなわち、貫通開口部が設けられている）レリーフ層が担体層上に形成されている、本発明によるテンプレートを示す概略断面図である。
【図３】図１または図２に示した本発明によるテンプレートを示す概略平面図である。
【図４】担体層がスクリーンの形態でありその表面積全体に穿孔を備えた、図２に類似の本発明によるテンプレートを示す概略断面図である。
【図５】レリーフ部の開口部の底領域にレリーフ層部分が残っている、図４に類似の本発明によるテンプレートを示す概略断面図である。
【図６】レリーフ部の開口部の外側に位置する高台領域が複数の異なる高さを有する、図４に類似の本発明によるテンプレートを示す概略断面図である。
【図７】レリーフ部の開口部の外側に位置する高台領域の表面が構造化されている、図４に類似の本発明によるテンプレートを示す概略断面図である。
【図８】レリーフ部の開口部の縁領域における様々な概略断面を示す図である。
【図９】高台領域の表面がコーティングされている、図４に類似の本発明によるテンプレートを示す概略断面図である。
【図１０】レリーフ部の表面全体がコーティングされている、図４または図９に類似の本発明によるテンプレートを示す概略断面図である。
【図１１】レリーフ部の表面全体がコーティングされている、図７に類似の本発明によるテンプレートを示す概略断面図である。
【図１２】高台領域に貫通孔または穿孔が形成され、それらが担体層の貫通開口部または穿孔に整列している、図４に類似の本発明によるテンプレートを示す概略断面図である。
【図１３】高台領域の表面が構造化されている、図１２に類似の本発明によるテンプレートを示す概略断面図である。
【図１４】レリーフ部の表面全体がコーティングされている、図１３に類似の本発明によるテンプレートを示す概略断面図である。
【図１５】図１２ないし図１４に示した本発明によるテンプレートを示す概略平面図である。
【図１６】図１２に類似ではあるが、レリーフ層内の穿孔または貫通孔が担体層の貫通開口部または穿孔と形状、サイズ、および配置のうちの少なくとも一つが異なっている、本発明によるテンプレートを示す概略断面図である。
【図１７】図１６に示した本発明によるテンプレートのパターン領域を示す概略平面図である。
【発明を実施するための形態】
【００３０】
以下、図面に示す例示的実施形態に基づいて、本発明をより詳細に説明する。
【００３１】
それぞれの図面において互いに対応する要素には、同一の符号を付す。
【００３２】
図１に示すように、部分的に穿孔されたプレートまたは円筒体として形成された本発明によるテンプレートは、テンプレート本体１０を含む。テンプレート本体１０は、プレートまたは円筒体として形成されることができ、レリーフ層１１を有する。レリーフ層１１には、輪郭が所望のパターンに相当する間隙または開口部１２が形成される。開口部１２の底領域１３には、テンプレート本体１０の担体層部分１１’が設けられており、そこに穿孔または貫通開口部１４が形成されている。それにより、テンプレートの用途分野に応じて気体または液体が通過可能である。
【００３３】
本発明によるテンプレートの主な用途分野は、レリーフ状のパターンを備えた不織布の製造における、繊維状フリースの液体噴射接合である。ここで、テンプレート本体の開口部１２または窪みが、不織布に型押しされるパターンに相当する。
【００３４】
ただし、本発明によるテンプレートは、スキャッター印刷（scatter printing）にも使用できる。その場合、テンプレートを円筒形に形成し、その内部を減圧状態にする。開口部１２に細粒または小さいペレット状のバルク材料を充填することができ、それらの材料は、円筒形テンプレート内部の減圧状態によって開口部１２内に保持される。続いて、内部に位置するシートの助けによって、スキャッター印刷工程で印刷される被印刷物上であってバルク材料を放出すべき箇所において、貫通開口部１４を減圧状態から解放することができる。
【００３５】
本発明によるテンプレートはさらに、特にたとえば織地またはカーペットなどの吸収性の被印刷物に大量のインクで印刷する場合のスクリーン印刷において、印刷版または圧胴としても使用可能である。その場合に印刷インクは、開口部１２の底領域１３に設けられた貫通開口部１４を通るよう押されて開口部１２に至り、続いてそこから被印刷物上へ転写される。
【００３６】
ここで、擦り付けられる力によって生じる摩滅から保護するために、図２に示すように、テンプレート本体１０に別個の担体層１５を設けると有用である。担体層１５は、好ましくは金属から成り、また図４に示すように、特に金属製スクリーンとして形成される。
【００３７】
また、本発明に従って簡単に実施できるとおり、円筒形テンプレートにレリーフ部および適切な形状の表面を設ければ、円筒形テンプレートを用いて箔を穿孔およびエンボス加工することが可能になる。
【００３８】
本発明によるテンプレートを製造するには、まず、プレートまたは円筒体として形成されたテンプレート本体１０を用意する。テンプレート本体１０は、担体層部分１１’を上面１０’から遠い側に備えた連続的レリーフ層１１から成るか、あるいは、レリーフ層１１が担体層１５上に配置された複合材料から成る。
【００３９】
レリーフ層は、たとえば合成あるいは天然のポリマー、ゴム、硬質ゴムまたは他の加硫材料、セラミック、適切なシリコンなどの非金属によって構成される。担体層１５として特に適切なのは金属であるが、ガラス繊維またはカーボン繊維強化プラスチックを用いることもできる。非穿孔金属層は別として、担体層１５として特に適切なのは、ニッケル、銅、または他の金属から成る金属製スクリーンであり、それはガルバニック作用を用いて製造可能であり、あるいはワイヤガーゼとして形成される。このタイプの複合材料を用いる場合、積層体として形成されたテンプレート本体１０を得るために、非金属製レリーフ層を金属製担体層１５に物質的に接着する。
【００４０】
特にレーザまたはプラズマ照射などの照射を用いる場合は、レリーフ層の材料を除去することで、開口部１２と、開口部１２の外側に位置する高台領域１６から成る所望のレリーフ部とを形成する。レリーフ部の形成後または形成時に、開口部１２の底領域１３において、担体層部分１１’または担体層１５（図２参照）内に貫通開口部１４を、上記と同様に対応の材料を除去することによって形成する。
【００４１】
もし図４に示すようにスクリーンを担体層１５として使用した場合は、貫通開口部１４はスクリーンの開口部によって設けられている。この場合は単に、対応のスクリーン開口部を露出させるだけでよい。
【００４２】
もし図５に示すように、担体層１５を用いたにもかかわらず、たとえば高台領域１６が細い場合に、小さい高台の部分でレリーフ層１１の安定性および接着固定性を向上させるためなどの理由で、開口部１２の底領域１３にレリーフ層１１の材料を残している場合は、レリーフ層内に貫通開口部１４’を形成することによって対応のスクリーン開口部を延長し、貫通開口部１４を得る。
【００４３】
もし、ワイヤガーゼから成るスクリーンを用いた際にレリーフ層が開口部の領域で露出する場合は、ワイヤが交差する部分においてスクリーンが滑らかになるように、ガルバニック作用を用いてワイヤガーゼをコーティングすると好適である。
【００４４】
図６に示すように、どのような所望のパターンに係るレリーフ部であっても、レリーフ層１１から作成できる。特に、開口部１２の外側に位置するレリーフ層１１の高台領域１６が複数の異なる高さを有するように構成できる。複数の異なる高さの高台領域１６は、たとえば、順次行う複数回のステップによって材料の除去を実施することで得られ、あるいは、形成すべき開口部または高台の高さの大小に応じてレーザまたはプラズマの出力を変調して、材料除去のためのエネルギー密度を大きくするか小さくするかを選択することによっても得られる。
【００４５】
図８に示すように、照射時の出力変調によってさらに、高台と開口部との間に、丸み、傾斜、および段々をつけた縁部のうちの少なくとも一つから成る移行部を作成することができる。鋭い縁部（直角の縁部）を作成するには、出力をゼロから直接に所望レベルに切り替える。丸みをおびた縁部の場合は、所望の縁部形状に従い、照射ビームの増進具合に応じて出力を変更する。
【００４６】
用途によっては、図７に示すように、テンプレート本体１０の上面１０’に追加の表面構造を設けることもできる。この表面構造は、レリーフ層１１の製造時に適切な工程によって形成するか、あるいは、レリーフ部の形成のためにレーザまたはプラズマ照射によって材料を除去する際に作成する。図７には、高さおよび幅がランダムに形成されたミクロ構造を示すが、規則的なミクロ構造を設けることも可能であり、それらは特に箔のエンボス加工および穿孔の用途に使用される。
【００４７】
図９および図１０に示すように、レリーフ層１１の上面（すなわち、高台領域のみ、または、レリーフ層１１の露出表面全体）と、場合によっては担体層１５とに、コーティング１７を設けることができる。コーティング１７は、化学的手法、ガルバニック技術、またはスプレー技術によって施された金属被覆であることが可能である。図９に示すように、コーティング１７を高台領域１６の上面のみに設けたい場合は、プリント技術によって施すこともできる。
【００４８】
コーティング１７を底領域１３にも設ける場合は、その後に担体層１５内の貫通開口部１４を露出する必要がある。図１または図２と同様に非穿孔担体層部分１１または非穿孔担体層１５を設けた場合は、コーティング１７の形成後に貫通開口部１４を作成すべきである。
【００４９】
前述の例示的実施形態のテンプレートでは、図３の平面図に示すように、開口部１２の外側に位置する高台領域１６には穿孔または貫通開口部は設けられていない。
【００５０】
しかし、用途および高台領域の幅によっては、図１２ないし図１５に示すように、高台領域にも穿孔または貫通開口部１８を同様に設けることができる。図１２または図１３に示す例示的実施形態の場合、穿孔または貫通開口部１８は、開口部１２と同時か、あるいは別工程で作成可能である。ただし、コーティング１７が表面に施された図１４に示すテンプレートの場合は、穿孔または貫通開口部１８は、コーティング１７の被覆後に別個の工程で形成する必要がある。
【００５１】
図１２ないし図１５に示すように、レリーフ層１１内の貫通開口部１８は、スクリーン状の担体層１５内の開口部に整列している。製造の際には、穿孔された状態でレリーフ層１１を予め用意し、レリーフ層１１とスクリーン状担体層１５との貫通開口部１８が互いに整列するようにして、担体層１５と一体化させることが可能である。ただし、非穿孔状態のレリーフ層１１と担体層１５とをまず互いに接合し、その後に、両層内を通って延びる貫通開口部１８を形成することもできる。それは、たとえばレーザ照射、プラズマ照射、水噴射、または、特にドリル加工などの機械的方法によって実現できる。
【００５２】
また、レリーフ層１１と担体層１５とのそれぞれにおける複数開口部のうちの一部が互いに重なる領域が存在するならば、レリーフ層１１のパターンまたは高台領域１６内の複数の穿孔または貫通開口部１８、および／または、担体層内の複数の開口部は、互いに密度（表面積当たりの数）、分布、および幅が異なっていることも可能である。
【００５３】
たとえば図１７では、担体層１５に、複数の異なる幅を有する開口部１２が行列配置されており、同時に、レリーフ層１１内の貫通開口部１８がハニカム状に配置されている。
【００５４】
高エネルギ密度のレーザまたはプラズマ照射を使用することによって、たとえば不織布のウォータージェット接合などの用途において必要とされるとおりに、基本テンプレート本体の非金属製部分に、本発明に従って所望のパターン状のレリーフ部および穿孔または貫通開口部を形成することができる。特に、本発明によれば、従来技術では得られなかった２ミリ、３ミリ、またはそれ以上の大きなレリーフ深さを得ることができる。
【００５５】
ここで、より粗い構造にはプラズマ照射を使用する一方、特に滑らかに形成されるエンボス加工の縁部などの精密構造および超精密構造は、レーザ照射によって所望の形状に作成することができる。特に精密構造および超精密構造を形成する際には、テンプレートの表面に金属皮膜またはテフロン（登録商標）などのコーティングを施すと、特定の表面仕上げを得られる点や表面を摩滅から保護できる点で有用である。
【図１】
2013508189.tif 000003
【図２】
2013508189.tif 000004
【図３】
2013508189.tif 000005
【図４】
2013508189.tif 000006
【図５】
2013508189.tif 000007
【図６】
2013508189.tif 000008
【図７】
2013508189.tif 000009
【図８】
2013508189.tif 000010
【図９】
2013508189.tif 000011
【図１０】
2013508189.tif 000012
【図１１】
2013508189.tif 000013
【図１２】
2013508189.tif 000014
【図１３】
2013508189.tif 000015
【図１４】
2013508189.tif 000016
【図１５】
2013508189.tif 000017
【図１６】
2013508189.tif 000018
【図１７】
2013508189.tif 000019
【手続補正書】
【提出日】平成24年5月4日(2012.5.4)
【手続補正１】
【補正対象書類名】明細書
【補正対象項目名】０００４
【補正方法】変更
【補正の内容】
【０００４】
ＤＥ  １０  ２００７  ０５９  ７９４  Ａ１には、スクリーン印刷用テンプレートの製造方法が開示されている。その方法では、金属製担体基板を、後にスクレーパ側となる面から機械加工して窪みを形成することで、担体の網状組織を作成する。そして、後に被印刷物側となる面に、印刷すべき構成を、さらなる窪みの形状に機械加工する。それにより、両側の窪みの先端がテンプレート本体中で出会った箇所に、スクリーン印刷用のペースト状材料のための開口部が形成される。当該文献におけるテンプレートの製造は、マイクロエッチングまたはレーザアブレーションによって実施される。
ＮＬ  １  ０１２  １００  Ｃ２には、スクリーン印刷用テンプレートが開示されている。そのテンプレートでは、約０．３ｍｍの厚さの担体に印刷用の孔および空洞が設けられている。印刷用孔のいくつかは、担体の裏面またはスクレーパ面から前面まで延び、また他の複数の印刷用孔は、ある空洞の底領域に開口し、複数の印刷用孔からその空洞に印刷用インクが供給される。さらに、単一の空洞のみに割り当てられた印刷用孔が設けられている。この公知のスクリーン印刷用テンプレートの製造の際には、印刷用孔および空洞がレーザ照射によって形成される。ここで担体は、複数の異なるプラスチック材料に、コスト削減および物理的性質の変更のために砂、カーボン、アルミニウム、またはガラスを添加したもので構成することが可能である。２つまたはそれ以上の異なるプラスチック層の積層体を用いてもよい。さらに、担体のスクレーパ面に金属コーティングを設けることもできる。
ＥＰ  ０  ９１３  ７３０  Ａ１には、スクリーン印刷用テンプレートのさらなる製造方法が開示されている。その方法では、薄いスクリーンシリンダにフォトレジスト層を設ける。フォトレジスト層は、波状表面または平坦表面を有することが可能である。フォトレジスト層をパターニングする際には、被覆層を付着してレーザビームによってパターニングする。その後、フォトレジスト層を広域的に露光して現像し、使用したフォトレジストの種類に応じて露光部分または非露光部分を除去することで、スクリーンの開口部からスクリーン印刷用テンプレートの開口部を作成する。
【手続補正２】
【補正対象書類名】明細書
【補正対象項目名】０００８
【補正方法】変更
【補正の内容】
【０００８】
上記目的は、本発明に従って、請求項１に記載の方法および請求項１０に記載のテンプレートによって達成される。本発明の有利な改良点および発展形態は、従属項に記載されている。
【手続補正３】
【補正対象書類名】明細書
【補正対象項目名】００１１
【補正方法】変更
【補正の内容】
【００１１】
本発明によれば、特に非穿孔層である非金属製レリーフ層を有し、さらに、レリーフ層の裏側に有孔担体層として金属製スクリーンを有するテンプレート本体を用意する。続いて、レーザまたはプラズマ照射によって、パターンに従ってレリーフ層の材料を除去して、レリーフ部の複数の開口部を形成する。ここで、少なくともレリーフ部の開口部の底領域には、上面の反対側である裏面まで延びる貫通開口部が、レーザまたはプラズマ照射によって、担体層の開口部を少なくとも部分的に露出させることによって形成される。そのようにして、レリーフ部の開口部の底領域に位置する貫通開口部は、レリーフ層を完全に除去することで露出できる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１９
【補正方法】変更
【補正の内容】
【００１９】
本発明によるテンプレートは、少なくとも１つの非金属レリーフ層を備える。その上面には、輪郭が所望のパターンに相当する複数の開口部から成るレリーフ部が形成されている。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
また、レリーフ層の裏面に、有孔担体層として金属製スクリーンが設けられている。有孔担体層において上面の反対側である裏面まで延びる貫通開口部は、レリーフ部の開口部の底領域に少なくとも部分的に露出している。
【手続補正１０】
【補正対象書類名】明細書
【補正対象項目名】００２９
【補正方法】変更
【補正の内容】
【００２９】
【図１】レリーフ部の開口部の底領域のみに穿孔を備えたテンプレートを示す概略断面図である。
【図２】レリーフ部の開口部の底領域のみに穿孔を備えた（すなわち、貫通開口部が設けられている）レリーフ層が担体層上に形成されている、本発明によるテンプレートを示す概略断面図である。
【図３】図１または図２に示した本発明によるテンプレートを示す概略平面図である。
【図４】担体層がスクリーンの形態でありその表面積全体に穿孔を備えた、図２に類似の本発明によるテンプレートを示す概略断面図である。
【図５】レリーフ部の開口部の底領域にレリーフ層部分が残っている、図４に類似の本発明によるテンプレートを示す概略断面図である。
【図６】レリーフ部の開口部の外側に位置する高台領域が複数の異なる高さを有する、図４に類似の本発明によるテンプレートを示す概略断面図である。
【図７】レリーフ部の開口部の外側に位置する高台領域の表面が構造化されている、図４に類似の本発明によるテンプレートを示す概略断面図である。
【図８】レリーフ部の開口部の縁領域における様々な概略断面を示す図である。
【手続補正１１】
【補正対象書類名】明細書
【補正対象項目名】００３２
【補正方法】変更
【補正の内容】
【００３２】
図１に示すように、部分的に穿孔されたプレートまたは円筒体として形成されたテンプレートは、テンプレート本体１０を含む。テンプレート本体１０は、プレートまたは円筒体として形成されることができ、レリーフ層１１を有する。レリーフ層１１には、輪郭が所望のパターンに相当する間隙または開口部１２が形成される。開口部１２の底領域１３には、テンプレート本体１０の担体層部分１１’が設けられており、そこに穿孔または貫通開口部１４が形成されている。それにより、テンプレートの用途分野に応じて気体または液体が通過可能である。
【手続補正１２】
【補正対象書類名】明細書
【補正対象項目名】００３６
【補正方法】変更
【補正の内容】
【００３６】
ここで、擦り付けられる力によって生じる摩滅から保護するために、図２に示すように、テンプレート本体１０に別個の担体層１５を設けると有用である。担体層１５は、金属から成り、また図４に示すように、特に金属製スクリーンとして形成される。
【手続補正１３】
【補正対象書類名】明細書
【補正対象項目名】００３８
【補正方法】変更
【補正の内容】
【００３８】
本発明によるテンプレートを製造するには、まず、プレートまたは円筒体として形成されたテンプレート本体１０を用意する。テンプレート本体１０は、上面１０’から遠い側の担体層１５上に配置された連続的レリーフ層１１から成る。
【手続補正１４】
【補正対象書類名】明細書
【補正対象項目名】００３９
【補正方法】変更
【補正の内容】
【００３９】
レリーフ層は、たとえば合成あるいは天然のポリマー、ゴム、硬質ゴムまたは他の加硫材料、セラミック、適切なシリコンなどの非金属によって構成される。担体層１５として適切なのは金属である。穿孔金属層は別として、担体層１５として特に適切なのは、ニッケル、銅、または他の金属から成る金属製スクリーンであり、それはガルバニック作用を用いて製造可能であり、あるいはワイヤガーゼとして形成される。このタイプの複合材料を用いる場合、積層体として形成されたテンプレート本体１０を得るために、非金属製レリーフ層を金属製担体層１５に物質的に接着する。
【手続補正１５】
【補正対象書類名】特許請求の範囲
【補正対象項目名】全文
【補正方法】変更
【補正の内容】
【特許請求の範囲】
【請求項１】
複数の開口部（１２）を含みそれらの開口部の輪郭が所望のパターンに相当するレリーフ部（１１）を上面に備えたテンプレートの製造方法であって、
非金属製レリーフ層（１１）を有し、さらに、前記レリーフ層の裏側に金属製スクリーンを有孔担体層として有するテンプレート本体（１０）を用意することと、
レーザまたはプラズマ照射によって、前記レリーフ層（１１）の材料を前記パターンに従って除去して、前記レリーフ部の複数の開口部（１２）を形成することとを含み、
少なくとも前記レリーフ部の開口部（１２）の底領域（１３）には、前記上面の反対側である裏面まで延びる貫通開口部（１４）が、レーザまたはプラズマ照射によって、前記担体層の前記開口部を少なくとも部分的に露出させることによって形成されることを特徴とする、方法。
【請求項２】
請求項１に記載の方法であって、前記レリーフ部の開口部（１２）の底領域（１３）における前記貫通開口部（１４）は、前記レリーフ層（１１）を完全に除去することによって露出することを特徴とする、方法。
【請求項３】
請求項１または２に記載の方法であって、前記レリーフ部の前記開口部（１２）の外側に位置する前記レリーフ層（１１）の高台領域（１６）に、前記担体層（１５）の開口部（１４）と一致するパターン形成用以外の形成開口部または穿孔か、あるいは、前記担体層（１５）の開口部（１４）と形状、サイズ、および配置のうちの少なくとも一つが異なるパターン形成用以外の形成開口部または穿孔を、レーザ照射によって導入することで貫通開口部（１４）を形成することを特徴とする、方法。
【請求項４】
請求項１から３のいずれか一つに記載の方法であって、前記レリーフ部の前記開口部（１２）の外側に位置する高台領域（１６）が複数の異なる高さを有するように、前記開口部（１２）の外側においてもレーザ照射によって前記レリーフ層（１１）の材料を除去することを特徴とする、方法。
【請求項５】
請求項１から４のいずれか一つに記載の方法であって、前記開口部（１２）の形成時に、前記開口部（１２）の壁を、周囲の高台領域（１６）に対して傾斜、面取り部、丸み、またはステップ状の段々を有するよう構成することを特徴とする、方法。
【請求項６】
請求項５に記載の方法であって、照射時の出力密度を変調させることによって、前記レリーフ層（１１）の前記開口部（１２）と前記高台領域（１６）との間の移行部に、傾斜、面取り部、丸み、またはステップ状の段々をつけることを特徴とする、方法。
【請求項７】
請求項１から６のいずれか一つに記載の方法であって、前記開口部（１２）の外側に位置する高台領域（１６）の表面に、規則的、ランダム、または疑似ランダムなミクロ構造を設けることを特徴とする、方法。
【請求項８】
請求項１から７のいずれか一つに記載の方法であって、高台領域（１６）の表面または前記レリーフ層（１１）の露出表面全体にコーティング（１７）を設けることを特徴とする、方法。
【請求項９】
請求項８に記載の方法であって、金属から成る前記コーティング（１７）を、化学的手法、ガルバニック技術、スプレー技術、またはプリント技術によって被覆することを特徴とする、方法。
【請求項１０】
テンプレート本体（１０）を含むテンプレートであって、少なくとも１つの非金属製レリーフ層（１１）を備え、その表面に、複数の開口部（１２）を含みそれらの開口部の輪郭が所望のパターンに相当するレリーフ部が形成されており、前記レリーフ層（１１）の裏側に金属製スクリーンを有孔担体層（１５）として備え、その有孔担体層において上面の反対側である裏面まで延びる貫通開口部（１４）が、前記レリーフ部の開口部（１２）の底領域（１３）に少なくとも部分的に露出している、テンプレート。
【請求項１１】
請求項１０に記載のテンプレートであって、前記レリーフ層（１１）が、前記レリーフ部の前記開口部（１２）の外側に位置する高台領域（１６）に、レーザ照射によって導入され前記担体層（１５）の開口部（１４）と一致するパターン形成用以外の開口部（１８）または穿孔か、あるいは、レーザ照射によって導入され前記担体層（１５）の開口部（１４）と形状、サイズ、および配置のうちの少なくとも一つが異なるパターン形成用以外の開口部（１８）または穿孔を備える、テンプレート。
【請求項１２】
請求項１０または１１に記載のテンプレートであって、前記金属製スクリーンは、ガルバニック作用を用いて製造されたものであるか、あるいは、ガルバニック表面コーティングが施されたワイヤガーゼで構成されている、テンプレート。
【請求項１３】
請求項１０から１２のいずれか一つに記載のテンプレートであって、前記レリーフ部の前記開口部（１２）の外側に位置する高台領域（１６）が複数の異なる高さを有する、テンプレート。
【請求項１４】
請求項１０から１３のいずれか一つに記載のテンプレートであって、前記開口部（１２）の壁が、周囲の高台領域（１６）に対して傾斜、面取り部、丸み、またはステップ状の段々を備える、テンプレート。
【請求項１５】
請求項１０から１４のいずれか一つに記載のテンプレートであって、前記開口部（１２）の外側に位置する高台領域（１６）の表面が、規則的、ランダム、または疑似ランダムなミクロ構造を備える、テンプレート。
【請求項１６】
請求項１０から１５のいずれか一つに記載のテンプレートであって、高台領域（１６）の表面または前記レリーフ層（１１）の露出表面全体にコーティング（１７）が施されている、テンプレート。
【国際調査報告】
2013508189.tif 000020
2013508189.tif 000021
2013508189.tif 000022
2013508189.tif 000023
2013508189.tif 000024
2013508189.tif 000025